(57)【要約】【課題】毛髪が巻き付けられたアイロン部が回転する際に、アイロン部に巻き付けられた毛髪が重なり合うことを抑制できるヘアーアイロンを提供する。【解決手段】毛髪を挟むと共に加熱するアイロン部５０を備え、アイロン部５０が自動で回転されるヘアーアイロン１０であって、アイロン部５０は、挟んだ毛髪を、アイロン部５０の回転軸に対して傾斜する方向に沿って案内する毛髪ガイド５１１Ｇを備える。【選択図】図５
2019076180.tif 000002
【特許請求の範囲】
【請求項１】
毛髪を挟むと共に加熱するアイロン部を備え、前記アイロン部が自動又は手動で回転されるヘアーアイロンであって、
前記アイロン部は、挟んだ毛髪を、前記アイロン部の回転軸に対して傾斜する方向に沿って案内する毛髪ガイドを備えるヘアーアイロン。
【請求項２】
請求項１に記載のヘアーアイロンであって、
前記アイロン部は、
先端から基端側へ形成されたスリットを備えるハウジングと、
前記スリットに相互に対向して配され、相互間に挿入された毛髪を挟むと共に加熱する一対の加熱板と
を備え、
前記毛髪ガイドは、前記スリットの最深部に設けられているヘアーアイロン。
【請求項３】
請求項１又は２に記載のヘアーアイロンであって、
前記アイロン部が前記回転軸の周りに相対的に回転可能に連結され、使用者により保持される保持部と、
前記保持部内に設けられ、前記アイロン部を、前記回転軸の回りに、第１の方向と、前記第１の方向の逆方向である第２の方向とに回転させるモータと、
前記保持部の表面に設けられ、使用者により第１の操作と第２の操作とが行われる操作部と、
前記操作部の前記第１の操作が行われた場合に、前記アイロン部を前記第１の方向に回転させる回転駆動を前記モータに実行させ、前記操作部の前記第２の操作が行われた場合に、前記アイロン部を前記第２の方向に回転させる回転駆動を前記モータに実行させる制御部と
を備えるヘアーアイロン。
【請求項４】
請求項３に記載のヘアーアイロンであって、
前記制御部は、前記操作部の操作時間に応じて、前記アイロン部を所定の回転位置まで回転させる回転駆動を前記モータに実行させる第１の処理と、前記アイロン部を前記操作部の操作時間に対応する時間だけ回転させる回転駆動を前記モータに実行させる第２の処理とを実行するヘアーアイロン。
【発明の詳細な説明】
【技術分野】
【０００１】
本発明は、ヘアーアイロンに関する。
【背景技術】
【０００２】
ヘアーアイロンとして、内部に正逆回転可能な電動モータが設けられたハンドルと、このハンドルの先端に連結された回転アイロン部とを備える自動巻きヘアーアイロンが知られている（例えば、特許文献１参照）。
【先行技術文献】
【特許文献】
【０００３】
【特許文献１】特開２０１４−２２６５６５号公報
【発明の概要】
【発明が解決しようとする課題】
【０００４】
自動巻きヘアーアイロンの使用者は、毛髪を回転アイロン部（以下、アイロン部という）に巻き付けてアイロン部を回転させる際に、アイロン部に巻き付けた毛髪が重なり合わないようにする必要がある。
【０００５】
本発明が解決しようとする課題は、毛髪が巻き付けられたアイロン部が回転する際に、アイロン部に巻き付けられた毛髪が重なり合うことを抑制できるヘアーアイロンを提供することである。
【課題を解決するための手段】
【０００６】
本発明の具体的態様におけるヘアーアイロンは、毛髪を挟むと共に加熱するアイロン部を備え、前記アイロン部が自動又は手動で回転されるヘアーアイロンであって、前記アイロン部は、挟んだ毛髪を、前記アイロン部の回転軸に対して傾斜する方向に沿って案内する毛髪ガイドを備える。
【発明の効果】
【０００７】
本発明によれば、毛髪が巻き付けられたアイロン部が回転する際に、アイロン部に巻き付けられた毛髪が重なり合うことを抑制できる。
【図面の簡単な説明】
【０００８】
【図１】本発明の一実施形態に係るヘアーアイロンを示す斜視図である。
【図２】図１の保持部とアイロン部との連結部を示す断面図である。
【図３】図１のアイロン部を図１の左側から示す側面図である。
【図４】図１のアイロン部を図１の右側から示す側面図である。
【図５】図１のアイロン部を示す平面図である。
【図６】図１のアイロン部を示す側断面図である。
【図７】本実施形態に係るヘアーアイロンの概略構成を示すブロック図である。
【図８】本実施形態に係るヘアーアイロンの駆動制御を説明するためのフローチャートである。
【図９】本実施形態のヘアーアイロンを用いて毛髪にくせ付けする方法を説明するための斜視図である。
【図１０】本実施形態のヘアーアイロンを用いて毛髪にくせ付けする方法を説明するための斜視図である。
【図１１】他の実施形態に係るヘアーアイロンを示す平面図である。
【図１２】図１１のヘアーアイロンを用いて毛髪にカールのくせ付けを行う方法を説明するための斜視図である。
【発明を実施するための形態】
【０００９】
以下、図面を参照して本発明の一実施形態に係るヘアーアイロン１０について説明する。なお、発明の実施の形態を通じて本発明を説明するが、特許請求の範囲に係る発明を以下の実施形態に限定するものではない。また、実施形態で説明する構成の全てが課題を解決するための手段として必須であるとは限らない。
【００１０】
図１は、本発明の一実施形態に係るヘアーアイロン１０を示す斜視図である。この図に示すヘアーアイロン１０は、アイロン部５０がモータ２２（図２参照）により回動される自動巻き式のヘアーアイロンである。このヘアーアイロン１０は、保持部２０とアイロン部５０とを備える。保持部２０とアイロン部５０とは、共に棒状に構成されている。また、保持部２０とアイロン部５０とは、相互に同軸的に配されている。さらに、アイロン部５０の軸方向一端（以下、基端という）が、保持部２０の軸方向一端（以下、先端という）に対して、保持部２０の軸心の回りに回転可能に取付けられている。ここで、アイロン部５０は、保持部２０に対して相対的に図中右回り方向（先端から見て時計回り方向）および図中左回り方向（先端から見て反時計回り方向）に回転可能である。
【００１１】
保持部２０のハウジング２１の軸方向他端（以下、基端という）には、電源コード２４が接続されている。また、ハウジング２１には、電源／温度切替スイッチ２６と、回転スイッチ２８とが設けられている。なお、電源コード２４を保持部２０の基端に接続し商用電源をヘアーアイロン１０に供給することは必須ではなく、保持部２０に電池を内蔵してコードレス式のヘアーアイロン１０としてもよい。
【００１２】
電源／温度切替スイッチ２６は、保持部２０の軸方向中央に設けられている。この電源／温度切替スイッチ２６は、電源のＯＮ／ＯＦＦの切替と、アイロン部５０のヒータ５６（図６及び図７参照）の温度の切替とを行うためのスイッチである。電源／温度切替スイッチ２６は、操作部２６１と、操作検出器２６２（図７参照）とを備える。操作部２６１は、保持部２０の軸方向にスライド可能に設けられている。操作部２６１が最も手前側（使用者側）の位置（以下、ＯＦＦ位置という）に位置する場合、ヒータ５６がＯＦＦになり、操作部２６１がＯＦＦ位置から奥側に移動されると、まず、ヒータ５６がＯＮになり、次に、ヒータ５６が昇温される。なお、ヒータ５６の温度は、段階的に昇降されてもよく、連続的（無段階的）に昇降されてもよい。
【００１３】
回転スイッチ２８は、操作部２８１と、操作検出器２８２（図７参照）とを備える。この回転スイッチ２８は、アイロン部５０を図中右回り方向または図中左回り方向に回転させるためのスイッチである。操作部２８１は、保持部２０の先端に設けられている。この操作部２８１は、左右にスライドするレバーである。なお、本実施形態では、電源／温度切替スイッチ２６の左右方向中心と操作部２８１の左右方向中心とが、保持部２０の軸心に対して平行な同一の直線上に配されている。
【００１４】
図２は、図１の保持部２０とアイロン部５０との連結部を示す断面図である。この図に示すように、保持部２０は、円筒状のハウジング２１を備える。このハウジング２１は、モータ２２と制御装置３０（図７参照）とを収容している。モータ２２は、ハウジング２１の先端の近傍に配されている。このモータ２２の出力軸２２１は、ハウジング２１の軸心と同軸で配され、モータ本体２２２からアイロン部５０側に延びている。
【００１５】
アイロン部５０の基端にはロータ２３が配され、アイロン部５０のハウジング５１に固定されている。ロータ２３の回転中心には、モータ２２の出力軸２２１が相対的に回転不能に嵌合する嵌合孔２３１が形成されている。これにより、モータ２２の駆動によりロータ２３およびアイロン部５０が回転する。
【００１６】
図３は、図１のアイロン部５０を図１の左側から示す側面図である。図４は、図１のアイロン部５０を図１の右側から示す側面図である。これらの図に示すように、アイロン部５０は、棒状のハウジング５１を備える。ハウジング５１の外周形状は、円柱状である。このハウジング５１には、その先端から軸方向中間部まで延びるスリット５１１が形成されている。このスリット５１１は、ハウジング５１の先端から軸方向中間部までの部分を、図中上下の何れか一方（以下、第１ハウジング部という）５１Ａと図中上下の何れか他方（以下、第２ハウジング部という）５１Ｂとに二分している。
【００１７】
スリット５１１の幅は、基端から先端の近傍まで均一であり、先端において漸次的に広くなっている。ハウジング５１は、後述の加熱板５２、５３と比較して伝熱性が低い樹脂等の材料で構成されている。この材料としては、使用者が触っても熱さを感じない程度にヒータ５６（図６参照）や加熱板５２、５３の熱が伝わり難い材料が好ましい。また、この材料としては、耐熱性に優れた材料が好ましい。
【００１８】
ここで、図３に示すスリット５１１の左端の長さＬｌは、図４に示すスリット５１１の右端の長さＬ２よりも大きい。即ち、スリット５１１の最深部は、スリット５１１の左端から右端にかけてスリット５１１の幅方向（図３及び図４の奥行き方向）に対して傾斜している。
【００１９】
図５は、図１のアイロン部５０を示す平面図である。この図に示すように、スリット５１１の最深部には、毛髪ガイド５１１Ｂが設けられている。この毛髪ガイド５１１Ｂは、アイロン部５０の軸方向に対して交差する方向に沿って直線的に形成されている。ここで、毛髪ガイド５１１Ｂとアイロン部５０の軸方向との角度α（鋭角）は、後述するようにアイロン部５０の外周に巻き付けられた毛髪が重なり合わないように適宜設定すればよく、例えば、１０〜８０°の範囲が好ましく、２０〜７０°の範囲がより好ましく、３０〜６０°の範囲がさらに好ましい。
【００２０】
図６は、アイロン部５０を示す断面図である。この図に示すように、ハウジング５１は、スリット５１１を挟んで対向する対向面５１２、５１３を備える。対向面５１２には、基端（スリット５１１の奥側の端部）から先端の近傍まで広がる矩形状の凹部５１２１が形成されている。対向面５１３には、基端から先端の近傍まで広がる矩形状の凹部５１３１が形成されている。
【００２１】
アイロン部５０は、加熱板５２及び加熱板５３と、加熱板ホルダ５４及び加熱板ホルダ５５と、ヒータ５６とを備える。加熱板５２は、加熱板ホルダ５４に固定されている。この加熱板ホルダ５４は、対向面５１２の凹部５１２１に配され、第１ハウジング部５１Ａに固定されている。ここで、加熱板５２は、対向面５１２よりも他方の対向面５１３側に位置している。
【００２２】
加熱板５３およびヒータ５６は、加熱板ホルダ５５に固定されている。この加熱板ホルダ５５は、対向面５１３の凹部５１３１に配されている。ヒータ５６は、加熱板５３の裏側に加熱板５３の裏面に接するように配されている。ここで、加熱板ホルダ５５は、他方の加熱板ホルダ５４に対して接近または離間する方向に変位可能に第２ハウジング部５１Ｂに設けられている。第２ハウジング部５１Ｂ内には、バネ５８が設けられている。このバネ５８は、例えば圧縮コイルバネであり、第２ハウジング部５１Ｂの内面と加熱板ホルダ５５の背面との間に配され、加熱板ホルダ５５を他方の加熱板ホルダ５４に向けて付勢している。これにより、加熱板５３が加熱板５２に圧接されている。
【００２３】
加熱板５２の基端は、アイロン部５０の軸方向に対して交差する方向に沿って直線的に形成されている。ここで、加熱板５２の基端とアイロン部５０の軸方向との角度（鋭角）は、上記角度αと同一である。即ち、加熱板５２の基端と毛髪ガイド５１１Ｂとは相互に平行である。
【００２４】
加熱板５３の基端は、アイロン部５０の軸方向に対して交差する方向に沿って直線的に形成されている。ここで、加熱板５３の基端とアイロン部５０の軸方向との角度（鋭角）は、上記角度αと同一である。即ち、加熱板５３の基端と毛髪ガイド５１１Ｂとは相互に平行である。また、加熱板５２の基端と加熱板５３の基端とは相互に平行である。
【００２５】
図７は、本実施形態に係るヘアーアイロン１０の概略構成を示すブロック図である。この図に示すように、回転スイッチ２８の操作検出器２８２が、操作部２８１の位置を検出して制御装置３０に出力する。制御装置３０は、操作検出器２８２から入力された検出信号に応じて、モータ２２に駆動信号を出力する。また、電源／温度切替スイッチ２６の操作検出器２６２が、操作部２６１の位置を検出して制御装置３０に出力する。制御装置３０は、操作検出器２６２から入力された検出信号に応じて、ヒータ５６のＯＮ／ＯＦＦ及び温度を制御する。
【００２６】
操作検出器２８２により検出される操作部２８１の位置は、左側、中央、右側の３つの位置である。操作検出器２８２により操作部２８１が中央に位置することが検出された場合には、制御装置３０が、駆動信号をモータ２２に出力しない。操作検出器２８２により操作部２８１が使用者から見て左側に移動されたことが検出された場合には、制御装置３０が、アイロン部５０を使用者から見て左回り（アイロン部５０の先端側から見て時計回り）に回転させる駆動信号をモータ２２に出力する。一方、操作検出器２８２により操作部２８１が使用者から見て右側に移動されたことが検出された場合には、アイロン部５０を使用者から見て右回り（アイロン部５０の先端側から見て反時計回り）に回転させる駆動信号をモータ２２に出力する。
【００２７】
モータ２２は、ステッピングモータであり、制御装置３０から出力されるパルス数に応じた回転量だけ回転する。制御装置３０は、出力したパルス数に応じて、モータ２２の回転位置を演算する。ここで、操作検出器２８２の検出信号が所定時間ｔ０（例えば０．５〜１秒）未満の場合、制御装置３０は、アイロン部５０を初期位置に復帰させるための駆動信号を、モータ２２に出力する。アイロン部５０の初期位置には、第１の初期位置と第２の初期位置とがある。
【００２８】
第１の初期位置は、操作部２８１が使用者側を向いた状態で、毛髪ガイド５１１Ｂが、使用者から見て右下がりに傾斜する位置である。操作部２８１が左側に上記所定時間ｔ０未満だけ操作された場合に、アイロン部５０が第１の初期位置まで回転する。
【００２９】
一方、第２の初期位置は、操作部２８１が使用者側を向いた状態で、毛髪ガイド５１１Ｂが、使用者から見て左下がりに傾斜する位置である。操作部２８１が右側に上記所定時間ｔ０未満だけ操作された場合に、アイロン部５０が第２の初期位置まで回転する。
【００３０】
操作検出器２８２の検出信号が所定時間ｔ０（例えば０．５〜１．０秒）以上継続した場合、制御装置３０は、操作検出器２８２の検出信号が出力されている間、駆動信号をモータ２２に出力し続ける。操作部２８１が左側に上記所定時間ｔ０以上操作され続けた場合に、アイロン部５０が操作部２８１が操作されている時間だけ左回り（先端から見て時計回り）に回転し続ける。一方、操作部２８１が右側に上記所定時間ｔ０以上操作され続けた場合に、アイロン部５０が操作部２８１が操作されている時間だけ右回り（先端から見て反時計回り）に回転し続ける。
【００３１】
図８は、本実施形態に係るヘアーアイロン１０の駆動制御を説明するためのフローチャートである。このフローチャートに示す処理は、電源／温度切替スイッチ２６の操作検出器２６２により電源のＯＮが検出されると開始される。まず、ステップ１において、制御装置３０は、回転スイッチ２８の操作検出器２８２により操作部２８１の操作が検出されたか否かを判定する。肯定判定がされた場合にはステップ２に進み、否定判定がされた場合にはステップ１３に進む。ステップ２において、制御装置３０は、操作検出器２８２の検出信号の出力時間が所定時間ｔ０（例えば０．５〜１．０秒）未満であるか否かを判定する。肯定判定がされた場合にはステップ３に進み、否定判定がされた場合にはステップ８に進む。
【００３２】
ステップ３において、制御装置３０は、操作検出器２８２により検出された操作部２８１の位置が左側であるか右側であるかを判定する。左側である場合にはステップ４に進み、右側である場合にはステップ５に進む。ステップ４において、制御装置３０は、アイロン部５０を上記の第１の初期位置に回転させる駆動信号をモータ２２に出力する。一方、ステップ５において、制御装置３０は、アイロン部５０を上記の第２の初期位置に回転させる駆動信号をモータ２２に出力する。ステップ４、５からステップ６に進む。
【００３３】
ステップ６において、制御装置３０は、操作検出器２８２により操作部２８１の操作が検出されたか否かを判定する。肯定判定がされた場合にはステップ７に進む。ステップ７において、制御装置３０は、操作検出器２８２の検出信号の出力時間が所定時間ｔ０（例えば０．５〜１．０秒）以上であるか否かを判定する。肯定判定がされた場合にはステップ８に進み、否定判定がされた場合にはステップ３に進む。
【００３４】
ステップ８において、制御装置３０は、操作検出器２８２により検出された操作部２８１の位置が左側であるか右側であるかを判定する。左側である場合にはステップ９に進み、右側である場合にはステップ１０に進む。ステップ９において、制御装置３０は、アイロン部５０を時計回り（左回り）に回転させる駆動信号をモータ２２に出力する。一方、ステップ１０において、制御装置３０は、アイロン部５０を反時計回り（右回り）に回転させる駆動信号をモータ２２に出力する。ステップ９、１０からステップ１１に進む。
【００３５】
ステップ１１において、制御装置３０は、操作検出器２８２による検出信号の出力が停止したか否かを判定する。肯定判定がされた場合にステップ１２に進む。ステップ１２において、制御装置３０は、モータ２２への駆動信号の出力を停止する。次に、ステップ１３において、制御装置３０は、電源／温度切替スイッチ２６の操作検出器２６２により電源のＯＦＦが検出されたか否かを判定する。肯定判定がされた場合には本ルーチンの処理が終了する一方、否定判定がされた場合にはステップ１〜１３の処理が繰り返される。
【００３６】
図９及び図１０は、本実施形態のヘアーアイロン１０を用いて毛髪にくせ付けする方法を説明するための斜視図である。図９に示すように、スリット５１１に毛束が挿入されると、毛束が、バネ５８の付勢力により加熱板５２と加熱板５３とにより挟まれる。この状態で、ヘアーアイロン１０が毛束の先端側へ移動されると、毛髪にストレートのくせ付けが行われる。
【００３７】
図１０に示すように、スリット５１１の最深部まで毛束が挿入されると、アイロン部５０の軸方向に対する毛髪の角度が、毛髪ガイド５１１Ｂによって上記角度αに設定される。この状態で、回転スイッチ２８によってアイロン部５０が左右何れか一方に回転されると、毛束が、重なり合うことなくアイロン部５０の外周に斜めに巻き付けられる。アイロン部５０の回転が停止され毛束がアイロン部５０の外周に巻き付けられた状態が所定時間（例えば、３〜４秒）継続されると、毛髪にカールのくせ付けが行われる。
【００３８】
以上説明したように、本実施形態に係るヘアーアイロン１０では、アイロン部５０が、挟んだ毛髪を、アイロン部５０の回転軸に対して傾斜する方向に沿って案内する毛髪ガイド５１１Ｇを備える。これによって、毛束を、毛髪ガイド５１１Ｇに沿ってアイロン部５０の回転軸に対して傾斜させた状態でアイロン部５０により挟むことができる。従って、毛束を、重なり合うことなくアイロン部５０の外周に斜めに巻き付けることができる。
【００３９】
また、本実施形態に係るヘアーアイロン１０では、アイロン部５０が、先端から基端側へ形成されたスリット５１１を備えるハウジング２１と、スリット５１１に相互に対向して配された加熱板５２、５３を備える。これらの加熱板５２、５３は、相互間に挿入された毛髪を挟むと共に加熱する。ここで、毛髪ガイド５１１Ｇは、スリット５１１の最深部に設けられている。これによって、毛束を、スリット５１１の最深部まで挿入することで、毛束を、毛髪ガイド５１１Ｇに沿ってアイロン部５０の回転軸に対して傾斜させた状態でアイロン部５０により挟むことができる。
【００４０】
また、本実施形態に係るヘアーアイロン１０では、アイロン部５０が回転軸の周りに相対的に回転可能に連結された保持部２０と、この保持部２０内に設けられたモータ２２と、保持部２０の表面に設けられた操作部２８１と、制御装置３０とを備える。モータ２２は、アイロン部５０を、使用者から見て左回り方向と、使用者から見て右回り方向とに回転させる。操作部２８１は、使用者により左側への操作と右側への操作とが行われる。制御装置３０は、操作部２８１の左側への操作が行われた場合に、アイロン部５０を使用者から見て左回り方向に回転させ、操作部２８１の右側への操作が行われた場合に、アイロン部５０を使用者から見て右回り方向に回転させる。
【００４１】
ここで、毛束を毛髪ガイド５１１Ｇに沿ってアイロン部５０の回転軸に対して傾斜させた状態でアイロン部５０により挟むことができることによって、アイロン部５０をモータ２２で回転させた際に、毛束を、重なり合うことなくアイロン部５０の外周に斜めに巻き付けることができる。
【００４２】
さらに、本実施形態に係るヘアーアイロン１０では、制御装置３０が、操作部２８１の操作時間に応じて、アイロン部５０を第１の初期位置又は第２の初期位置まで回転させる回転駆動をモータ２２に実行させる第１の処理と、アイロン部５０を操作部２８１の操作時間に対応する時間だけ回転させる回転駆動をモータ２２に実行させる第２の処理とを実行する。これによって、使用者による操作部２８１の操作時間に応じて、アイロン部５０の回転位置が初期位置に復帰したり、操作部２８１の操作量に対応した回転量だけアイロン部５０が回転したりする。ここで、本実施形態に係るヘアーアイロン１０では、アイロン部５０の初期位置が、上記の第１の初期位置と第２の初期位置とに設定されている。これによって、使用者の操作部２８１の操作により、アイロン部５０を、好適な位置（即ち、使用者が操作部２８１を操作できると共に毛髪を毛髪ガイド５１１Ｇに沿ってスリット５１１に挿入することが可能な位置）まで回転させることができる。従って、前回使用時のアイロン部５０の停止位置にかかわらず、使用者は、操作部２８１を操作可能な状態で保持部２０を保持した状態で、毛髪を毛髪ガイド５１１Ｇに沿ってスリット５１１に挿入することができる。
【００４３】
図１１は、他の実施形態に係るヘアーアイロン１００を示す平面図である。この図に示すように、本実施形態に係るヘアーアイロン１００は、アイロン部５０が保持部２０に固定された手動巻き式のヘアーアイロンである。本実施形態に係るヘアーアイロン１００は、手動巻き式であるため、回転スイッチ２８を備えない。一方、本実施形態のアイロン部５０の構造は、基端が保持部２０の先端に固定されていることを除いて、上述の実施形態に係るヘアーアイロン１０が備えるアイロン部５０と同様である。即ち、本実施形態に係るアイロン部５０は、スリット５１１の最深部に毛髪ガイド５１１Ｂを備える。
【００４４】
図１２は、本実施形態のヘアーアイロン１００を用いて毛髪にカールのくせ付けを行う方法を説明するための斜視図である。これらの図に示すように、スリット５１１の最深部まで毛束が挿入されると、アイロン部５０の軸方向に対する毛髪の角度が、毛髪ガイド５１１Ｂによって上記角度αに設定される。この状態で、アイロン部５０が左右何れか一方に手動で回転されると、毛束が、重なり合うことなくアイロン部５０の外周に斜めに巻き付けられる。毛束がアイロン部５０の外周に巻き付けられた状態が所定時間（例えば、３〜４秒）継続されると、毛髪にカールのくせ付けが行われる。
【００４５】
なお、以上に説明した実施形態は、本発明の理解を容易にするために記載されたものであって、本発明を限定するために記載されたものではない。したがって、上記の実施形態において開示された各要素は、本発明の技術的範囲に属する全ての設計変更や均等物をも含む趣旨である。例えば、上述の実施形態では、アイロン部５０のハウジング５１にスリット５１１を形成し、このスリット５１１に一対の加熱板５２、５３を設け、これらの一対の加熱板５２、５３をバネ５８により圧接させた。しかしながら、アイロン部５０の構成は、上述の実施形態の構成に限られものではなく、例えば、開閉可能な一対のアームのそれぞれに加熱板５２、５３を設け、これらの一対の加熱板５２、５３を手動やバネにより圧接させる等してもよい。
【符号の説明】
【００４６】
１０、１００  ヘアーアイロン  ２０  保持部、２１  ハウジング、２２  モータ、２３ロータ、２４電源コード、２６  電源／温度切替スイッチ、２８  回転スイッチ、３０  制御装置、５０  アイロン部、５１  ハウジング、５１Ａ  第１ハウジング部、５１Ｂ  第２ハウジング部、５２  加熱板、５３  加熱板、５４  加熱板ホルダ、５５  加熱板ホルダ、５６  ヒータ、５８  バネ、２２１  出力軸、２２２  モータ本体、２３１  嵌合孔、２６１  操作部、２６２  操作検出器、２８１  操作部、２８２  操作検出器、５１１  スリット、５１１Ｇ  毛髪ガイド、５１２  対向面、５１２１  凹部、５１３  対向面、５１３１  凹部
【図１】
2019076180.tif 000003
【図２】
2019076180.tif 000004
【図３】
2019076180.tif 000005
【図４】
2019076180.tif 000006
【図５】
2019076180.tif 000007
【図６】
2019076180.tif 000008
【図７】
2019076180.tif 000009
【図８】
2019076180.tif 000010
【図９】
2019076180.tif 000011
【図１０】
2019076180.tif 000012
【図１１】
2019076180.tif 000013
【図１２】
2019076180.tif 000014